(57)【要約】【課題】簡単な構成でカプセル内視鏡の動作状態を切り替える。【解決手段】カプセル外殻１１の左端面１１Ｂに穴２１を設ける。カプセル外殻１１の内壁１１Ｃには、穴２１を取り囲むようにパッキン２２を設ける。穴２１に挿通する挿通部２３Ａと、挿通部の右端部に一体に形成される密着部２３Ｂとを有する防水部材２３を設ける。カプセル外殻１１の内部に板ばね２５を設ける。初期状態において、ケース部材４０は、防水部材２３を押圧して保持することにより、板ばね２５を撓み変形させ、板ばね２５を第１の接点部２４から離間させる。カプセル内視鏡１０をケース部材４０から取り出すと、板ばね２５が復元し、密着部２３Ｂがパッキン２２に密着して、穴２１がシールされる。また、板ばね２５の折り曲げ先端部２５Ｅ（第２の接点部）が第１の接点部２４に接触し、回路ユニット１４の動作が開始する。【選択図】図１
2008259767.tif 000002
【特許請求の範囲】
【請求項１】
嚥下可能な飲み込み型医療機器の外殻の内部に設けられた回路の動作を切り替えるための動作切替機構であって、
前記外殻内部に設けられ、電気的に接続されることにより前記回路の動作を切り替える第１及び第２の接点部と、
前記外殻の一部に穴が設けられ、その穴内部に変位可能に挿通する挿通部と、
前記穴を囲むように前記外殻に設けられた被密着部と、
前記被密着部に対して変位可能に設けられ、前記被密着部に密着することによって、前記穴をシール可能な密着部と、
前記挿通部の外力によって変形させられ、その変形した状態で保持されるばね部材とを備え、
前記挿通部による外力が解放されることにより前記ばね部材が復元し、その復元力によって、前記第２の接点部が変位し、前記第２の接点部が前記第１の接点部に電気的に接続され、又は切断されると共に、前記復元力により前記密着部が変位し前記被密着部に密着して前記穴をシールすることを特徴とする動作切替機構。
【請求項２】
前記挿通部を、前記ばね部材を変形させる所定位置に保持する保持部を備え、
前記挿通部が前記保持部の保持から解放されると、前記ばね部材が復元することを特徴とする請求項１に記載の動作切替機構。
【請求項３】
前記保持部は、前記飲み込み型医療機器を内部に格納し、その格納された状態で、前記挿通部を前記所定位置に保持するケース部材であって、
前記飲み込み型医療機器が前記ケース部材から取り出されると、前記挿通部が前記保持部の保持から解放されることを特徴とする請求項２に記載の動作切替機構。
【請求項４】
前記回路に電力を供給する電池を備え、
前記第２の接点部が前記電池の一方の端部に設けられた電極であり、
前記ばね部材が前記電池の他方の端部に支持され、
前記一方の端部が前記挿通部によって押圧されることにより、前記ばね部材が前記電池を介して変形させられることを特徴とする請求項１に記載の動作切替機構。
【請求項５】
前記電池の一方の端部に密着部が当接し、
前記ばね部材は、前記密着部及び前記電池を介して前記挿通部によって押圧変形させられ、
前記ばね部材の復元力により、前記密着部は前記電池と共に、変位させられること特徴とする請求項４に記載の動作切替機構。
【請求項６】
前記ばね部材はその一端部が前記電池の他方の端部に支持され、他端部が外殻に設けられた支持部材に支持されるコイルばねであることを特徴とする請求項４に記載の動作切替機構。
【請求項７】
前記ばね部材は、基端部が前記外殻の内壁に固定され、かつ先端部が前記第２の接点部に形成された板ばねであり、
前記板ばねは、前記挿通部を介した外部からの押圧により、前記基端部を起点に撓み変形させられて保持されることを特徴とする請求項１に記載の動作切替機構。
【請求項８】
前記板ばねは、前記基端部を有する第１の本体部と、前記先端部を有する第２の本体部と、前記第１及び第２の本体部を接続し、これら本体部よりも細幅に形成された接続部とによって一体に形成され、
前記板ばねが復元されると、その復元力によって、前記板ばねの先端部が前記第１の接点部に押圧して接触すると共に、前記第２の本体部が前記接続部を起点に折り曲げられることを特徴とする請求項７に記載の動作切替機構。
【請求項９】
前記密着部は、前記挿通部と一体に形成されることを特徴とする請求項１に記載の動作切替機構。
【請求項１０】
前記被密着部は前記外殻の内壁側に形成されると共に、
前記密着部は、前記ばね部材によって、前記外殻の内部から前記内壁に向けて押圧変位させられることにより、前記被密着部に密着することを特徴とする請求項１に記載の動作切替機構。
【請求項１１】
前記被密着部は、前記外殻の外壁側に形成されると共に、前記密着部は外殻の外部側に配置されており、
前記密着部は、前記ばね部材によって、前記外殻外部から前記外壁に向けて引っ張られて変位して、前記被密着部に密着することを特徴とする請求項１に記載の動作切替機構。
【請求項１２】
前記密着部が挿通部と別体に形成されると共に、
前記挿通部は前記穴から抜き去ることが可能であることを特徴とする請求項１に記載の動作切替機構。
【請求項１３】
前記第２の接点部に電気的に接続されることにより、前記回路とは別の回路の動作を切り替える第３の接点部を備え、
前記ばね部材の復元力が解放されることにより、前記第２の接点部が変位し、前記第３及び第２の接点部の電気的な接続が切断されると共に、前記第１及び第２の接点部が電気的に接続されることを特徴とする請求項１に記載の動作切替機構。
【請求項１４】
前記第３の接点部は板ばねで構成され、その一面から突出する突出部を有し、
前記第１の接点部は、絶縁膜を介して前記第３の接点部の一面に固定されると共に、
前記突出部の突出高さは、前記第１の接点部の高さより高く、
前記ばね部材が変形した状態で、前記第２の接点部は、前記突出部の先端部に当接すると共に、前記第１の接点部を覆うように配置され、
前記ばね部材の復元力により、前記第２の接点部が変位することによって、前記突出部を介して、前記第３の接点部が押圧され撓み変形させられると共に、前記第１の接点部を覆う第２の接点部の一部が前記第１の接点部に接触し、
その接触した後は前記第１の接点部を介して、前記第３の接点部が前記ばね部材によって押圧されて撓み変形させられ、前記第３の接点部の突出部が前記第２の接点部からから離間することを特徴とする請求項１３に記載の動作切替機構。
【請求項１５】
前記回路は、第１及び第２の回路を含み、
前記第１及び第２の回路それぞれは、前記第１及び第２の接点部それぞれに電気的に接続され、
前記第２の接点部が前記第１の接点部に電気的に接続され、又は切断されて、前記第１回路と前記第２の回路との接続状態が変化することを特徴とする請求項１に記載の動作切替機構。
【請求項１６】
前記第１及び第２の回路それぞれは、一方が電源であり、他方が前記電源からの供給電力により動作する動作回路であることを特徴とする請求項１５に記載の動作切替機構。
【発明の詳細な説明】
【技術分野】
【０００１】
本発明は、カプセル内視鏡等の飲み込み型医療機器における動作切替機構に関し、特に使用開始時における動作切替の機構に関する。
【背景技術】
【０００２】
近年、胃腸等の体内を撮影するための内視鏡として、飲み込み型のカプセル内視鏡が実用化されつつある。カプセル内視鏡は、その内部に設けられた電池等によって、内部回路が駆動されるが、電池の充電量は限られており、電池による回路駆動は短時間しか行うことができない。したがって、嚥下直前に医師等によって電源が投入され、内部回路の駆動が開始されるのが一般的である。この電源投入動作は、防水等の観点からカプセル内視鏡を分解させず、かつ簡単な操作で行われることが望ましい。
【０００３】
従来、カプセル内視鏡の使用開始に当たって、カプセル内視鏡の電源を投入するための機構としては、磁石を備えるケース内にカプセル内視鏡が保管され、その保管ケースからカプセル内視鏡が取り出されると、磁場変化に基づき、カプセル内視鏡の電源が投入される機構が知られている（特許文献１参照）。このような機構によれば、カプセル内視鏡をケースから取り出すことによって自動的に電源が投入されるので、カプセル内視鏡を分解せずに、電源を投入することができ、電源投入操作を簡素化することができる。
【特許文献１】特表２００３−５２３７９５号公報
【発明の開示】
【発明が解決しようとする課題】
【０００４】
特許文献１に記載された機構によれば、各カプセル内視鏡を保管するための保管ケースそれぞれに磁石が設けられ、カプセル内視鏡の数に応じた数の磁石が必要となる。しかし、カプセル内視鏡及び保管ケースは通常使い捨てで使用されるので、上記機構によれば大量の磁石が必要とされる。また、カプセル内視鏡は、電源投入後においては、その内部の気密性が確保されることが好ましい。
【０００５】
そこで、本発明は、上記問題点に鑑みて成されたものであり、磁石を用いず、かつカプセル内視鏡を分解せずに、簡単な構成で電源投入などの動作を切り替えることが可能であって、電源投入と共にカプセル内視鏡の内部を気密にすることが可能な動作切替機構を提供することを目的とする。
【課題を解決するための手段】
【０００６】
本発明に係る動作切替機構は、嚥下可能な飲み込み型医療機器の外殻の内部に設けられた回路の動作を切り替えるための動作切替機構であって、外殻内部に設けられ、電気的に接続されることにより回路の動作を切り替える第１及び第２の接点部と、外殻の一部に穴が設けられ、その穴内部に変位可能に挿通する挿通部と、穴を囲むように外殻に設けられた被密着部と、被密着部に対して変位可能に設けられ、被密着部に密着することによって、穴をシール可能な密着部と、挿通部の外力によって変形させられ、その変形した状態で保持されるばね部材とを備える。そして、挿通部による外力が解放されることによりばね部材が復元し、その復元力によって、第２の接点部が変位し、第２の接点部が第１の接点部に電気的に接続され、又は切断されると共に、復元力により密着部が変位し被密着部に密着して穴をシールすることを特徴とする。
【０００７】
挿通部を、ばね部材を変形させる所定位置に保持する保持部を備える場合、挿通部が保持部の保持から解放されると、ばね部材が復元することが好ましい。保持部は、例えば、飲み込み型医療機器を内部に格納し、その格納された状態で、挿通部を所定位置に保持するケース部材である。飲み込み型医療機器がケース部材から取り出されると、挿通部が保持部の保持から解放される。保持部は、または飲み込み型医療機器の外殻及び挿通部の両方に貼り付けられるシール部材である。
【０００８】
回路に電力を供給する電池を備える場合、上記第２の接点部は電池の一方の端部に設けられた電極となる。この場合、ばね部材は電池の他方の端部に支持されるとともに、電池の一方の端部が挿通部によって押圧されることにより、ばね部材が電池を介して変形させられる。また、電池の一方の端部に密着部が当接する場合、ばね部材は、密着部及び電池を介して挿通部によって押圧変形させられ、ばね部材の復元力により、密着部が電池と共に、変位させられる。ばね部材は例えば、その一端部が電池の他方の端部に支持され、他端部が外殻に設けられた支持部材に支持されるコイルばねである。
【０００９】
ばね部材は、例えば、基端部が外殻の内壁に固定され、かつ先端部が第２の接点部に形成された板ばねである。板ばねは、挿通部を介した外部からの押圧により、基端部を起点に撓み変形させられて保持される。好ましくは、板ばねは、基端部を有する第１の本体部と、先端部を有する第２の本体部と、第１及び第２の本体部を接続し、これら本体部よりも細幅に形成された接続部とによって一体に形成される。この場合、板ばねが復元されると、その復元力によって、板ばねの先端部が第１の接点部に押圧して接触すると共に、第２の本体部が接続部を起点に折り曲げられる。このような構成によれば、板ばねは、第１の接点部に接触した後も変位することができる。
【００１０】
密着部は、例えば、挿通部と一体に形成されるが、別体に形成されていても良く、この場合、例えば挿通部は穴から抜き去ることが可能である。
【００１１】
被密着部が外殻の内壁側に形成される場合、密着部は、ばね部材によって、外殻の内部から内壁に向けて押圧変位させられることにより、被密着部に密着する。一方、被密着部が外殻の外壁側に形成される場合、密着部は外殻の外部側に配置されており、ばね部材によって、外殻外部から外壁に向けて引っ張られて変位して、被密着部に密着する。
【００１２】
第２の接点部に電気的に接続されることにより、上記回路とは別の回路の動作を切り替える第３の接点部を備えていても良い。この場合、ばね部材の復元力が解放されると、第２の接点部が変位し、第３及び第２の接点部の電気的な接続が切断されると共に、第１及び第２の接点部が電気的に接続される。
【００１３】
例えば、第３の接点部は板ばねで構成され、その一面から突出する突出部を有し、第１の接点部は、絶縁膜を介して第３の接点部の一面に固定され、突出部の突出高さが第１の接点部の高さより高くなる。この場合、第２の接点部は、ばね部材が変形した状態で、突出部の先端部に当接すると共に、第１の接点部を覆うように配置される。一方、ばね部材が復元すると、その復元力により、第２の接点部が変位する。そして、突出部を介して、第３の接点部が押圧され撓み変形させられると共に、第１の接点部を覆う第２の接点部の一部が第１の接点部に接触する。その接触した後は第１の接点部を介して、第３の接点部がばね部材によって押圧されて撓み変形させられ、第３の接点部の突出部が第２の接点部からから離間する。
【００１４】
例えば、回路は、第１及び第２の回路を含み、第１及び第２の回路それぞれは、第１及び第２の接点部それぞれに電気的に接続され、第２の接点部が第１の接点部に電気的に接続され、又は切断されて、第１回路と第２の回路との接続状態が変化する。第１及び第２の回路それぞれは、例えば、一方が電源であり、他方が電源からの供給電力により動作する動作回路である。
【発明の効果】
【００１５】
本発明においては、挿通部を介して外部からばね部材への押圧状態を変化させることにより、電力供給状態が変化するので、飲み込み型医療機器を分解せずに、簡単な構成で、回路動作を切り替えることができる。また、挿通部を挿通させるために設けられた穴は、動作切替と共に、密着部によってシールされるので飲み込み型医療機器内部の気密性が確保される。
【発明を実施するための最良の形態】
【００１６】
以下本発明について図面を用いて説明する。
図１〜３は、本発明の動作切替機構がカプセル内視鏡に適用された第１の実施形態を示す。なお、以下に説明する実施形態においては、飲み込み型医療機器の動作の切替として、カプセル内視鏡の電源の投入を例としている。なお、以下の説明においては、カプセル外殻１１の軸が図１における左右方向に延びるものとし、図１における左右上下を左右上下として説明する。
【００１７】
カプセル内視鏡１０は、嚥下されることにより体内に飲み込まれ、体内の様子を観察することができる飲み込み型医療機器である。図１に示すようにカプセル内視鏡１０は、その内部がカプセル外殻１１で密閉されて構成される。カプセル外殻１１は、円筒形状の本体部１１Ｊと、本体部１１Ｊの両端部に連設され、外側に膨らんで略半球面状に形成される一端面（右端面）１１Ａ及び他端面（左端面）１１Ｂとによって構成される。カプセル外殻１１の右端面１１Ａは、被写体が撮像でき、かつ照明光が外部に照射できるように、透明カバーで構成されると共に、カプセル外殻１１の他の部分は不透明カバーで構成される。
【００１８】
カプセル外殻１１の内部には、被写体を撮像するための撮像素子１２と、撮像素子１２に被写体像を結像させるためのレンズ１３と、各種回路を備える回路ユニット１４（第１の回路）と、電池から構成され、回路ユニット１４に電力を供給するための電源１５（第２の回路）と、体内を照明するための光源装置１６とが設けられる。
【００１９】
カプセル外殻１１の左端面１１Ｂの先端部Ｙには、穴２１が設けられると共に、穴２１内部に挿通される防水部材２３が設けられる。先端部Ｙにおいて、カプセル外殻１１の内壁１１Ｃには、穴２１を取り囲むように円環状のパッキン２２（被密着部）が固着されている。パッキン２２は、例えば生体適合性が良好なゴム、樹脂等で形成され、断面四角形に形成される。
【００２０】
穴２１は、カプセル外殻１１の外部に連通する第１の穴部２１Ａと、カプセル外殻１１の内部及び第１の穴部２１Ａに連通し、第１の穴部２１Ａより径の大きい第２の穴部２１Ｂで構成される。このように、穴２１は径の異なる２つの部分で形成されることにより、内壁１１Ｃ側に凹陥部２１Ｅが形成され、その凹陥部２１Ｅに円環状のパッキン２２が嵌合している。そして、穴２１の内周面及びパッキン２２の内周面は同一の曲率を有する円周面に形成され、これらの内部は、軸がカプセル外殻１１の軸に一致して左右方向に延びる円柱空間に形成される。
【００２１】
防水部材２３は、略円柱状に形成される挿通部２３Ａと、挿通部２３Ａの右端部に一体に形成される密着部２３Ｂとを備える。防水部材２３及びパッキン２２の軸は、穴２１の軸に一致する。挿通部２３Ａは、穴２１の内部及びパッキン２２の内部を挿通し、その左端部がカプセル外殻１１の外壁１１Ｄから突出して、カプセル外殻１１の外部に配置される。また、挿通部２３Ａの右端部及び密着部２３Ｂがカプセル外殻１１の内部に配置される。挿通部２３Ａの外周面は、穴２１及びパッキン２２の内周面に密着しておらず、防水部材２３（すなわち、挿通部２３Ａ及び密着部２３Ｂ）は、カプセル外殻１１の外部又は内部から押圧等されることにより、カプセル外殻１１に対して、左右に変位することが可能である。
【００２２】
密着部２３Ｂは、その径が挿通部２３Ａの径よりも大きくかつ右側（すなわち、外殻１１の内部側）に向かうにつれて徐々に大きくされ、密着部２３Ｂの右端面２３Ｃが略平面状に形成された略半球形に形成される。防水部材２３は、例えば生体適合性の良好なゴム、樹脂等で形成され、後述する板ばね２５との絶縁性を保つために好ましくは絶縁体で形成される。また、高いシール性を確保しやすくするために、防水部材２３は、弾性を有し、パッキン２２と同一の材料で形成されることが好ましい。
【００２３】
カプセル外殻１１の左端面１１Ｂの内壁１１Ｃ側には、金属で構成される第１の接点部２４と、細長の金属で形成される板ばね２５が配置されている。第１の接点部２４は、穴２１より下側において内壁１１Ｃに固定されており、例えば金属片が接着剤等によって内壁１１Ｃに接着されて形成され、又は金属が蒸着されることによって内壁１１Ｃに形成される。
【００２４】
図３に示すように、板ばね２５は、略同一幅を有する第１及び第２の本体部２５Ｂ、２５Ｃと、これら第１及び第２の本体部２５Ｂ、２５Ｃを接続し、第１及び第２の本体部２５Ｂ、２５Ｃより細幅の接続部２５Ｄによって一体に形成される。図１に示すように、第１の本体部２５Ｂの上端部２５Ａは、穴２１の右上側の内壁１１Ｃに、接着剤等で固定され、板ばね２５の基端部を構成する。第１の本体部２５Ｂは、上端部２５Ａから僅かに左側に湾曲しつつ下方向に延出する。
【００２５】
板ばね２５の第２の本体部２５Ｃは、その下端部が第１の接点部２４に近づくように左側に折り曲げられており、折り曲げ先端部２５Ｅに形成される。折り曲げ先端部２５Ｅは、図２に示すように、板ばね２５が復元された状態では、第１の接点部２４に接触する第２の接点部を構成する。板ばね２５の第１の本体部２５Ｂの左面には、密着部２３Ｂの右端面２３Ｃが固着され、これにより、板ばね２５と防水部材２３とは一体に形成される。但し、右端面２３Ｃは板ばね２５に当接していれば、板ばね２５に固着していなくても良い。
【００２６】
回路ユニット１４及び電源１５は、それぞれ第１の接点部２４及び板ばね２５（第２の接点部）に導線等によって導通される。板ばね２５の折り曲げ先端部２５Ｅが、第１の接点部２４に接触し、第１の接点部２４と折り曲げ先端部２５Ｅとが電気的に接続すると、電源１５から回路ユニット１４へ電力が供給される。また、折り曲げ先端部２５Ｅが第１の接点部２４から離間し、これらが電気的に切断されると、回路ユニット１４には電源１５から電力が供給されない。
【００２７】
回路ユニット１４への電源の供給が開始されると、回路ユニット１４の駆動が開始され、光源装置１６から照明光が照射されると共に、撮像素子１２が駆動され映像信号の生成が開始される。回路ユニット１４の駆動開始後、カプセル内視鏡１０は患者等の被検査者によって嚥下される。嚥下されたカプセル内視鏡１０は、光源装置１６の照明光を用いて体内（被写体）を照明し、撮像素子１２によって、照明した被写体を撮像し、画素信号が生成される。
【００２８】
カプセル内視鏡１０は、工場出荷時（すなわち、初期状態では）、ケース部材４０に格納され、その格納された状態で使用される直前まで保管される。ケース部材４０は、一方の面が、カプセル内視鏡１０の出し入れのために開口された直方体の箱形状を呈する。カプセル内視鏡１０がケース部材４０の内部に保管されるとき、ケース部材４０の開口部４０Ａは蓋部４２によって覆われ、カプセル内視鏡１０はケース部材４０及び蓋部４２によって密閉されて保管される。
【００２９】
ケース部材４０の長さは、カプセル外殻１１の軸方向（すなわち、左右方向）の長さに略等しく、カプセル内視鏡１０がケース部材４０の内部に格納されると、防水部材２３は、ケース部材４０の内面４１に押圧され、相対的に左側に変位し、所定位置に配置された状態で静止される。防水部材２３が所定位置に配置された状態では、板ばね２５は基端部２５Ａを起点に、右側に撓み変形した状態で静止され、上述したように第１の接点部２４から離間されている。また、密着部２３Ｂは、パッキン２２から離間して配置される。
【００３０】
一方、カプセル内視鏡１０がケース部材４０から取り出されると、防水部材２３は、ケース部材４０に押圧されなくなる。したがって、板ばね２５は、防水部材２３からの外力が解放されて復元し、そのばね部材２５の復元力により、折り曲げ先端部２５Ｅが左側に変位し、折り曲げ先端部２５Ｅが第１の接点部２４に接触する。折り曲げ先端部２５Ｅ及び第１の接点部２４が接触すると、回路ユニット１４の駆動が開始される。防水部材２３も同様に、ばね部材２５の復元力によって押圧されて左方向に（すなわち、防水部材２３の密着部２３Ｂが、カプセル外殻１１の内部から内壁１１Ｃに向けて）変位し、これにより密着部２３Ｂの外周面２３Ｅは、パッキン２２に全周にわたって密着し、穴２１がシールされる。
【００３１】
板ばね２５は、折り曲げ先端部２５Ｅが第１の接点部２４に接触した状態からさらに左方向に押圧され、第２の本体部２５Ｃが細幅の接続部２５Ｄを起点に右側に折り曲げられる。これにより、板ばね２５は、第１の接点部２４に接触した後も、第１の本体部２５Ｂが復元力によって左方向に撓み変位することが可能であるので、密着部２３Ｂは左方向に押圧されてパッキン２２に密着し、これらの間は高い密着性が確保される。
【００３２】
以上のように本実施形態では、カプセル内視鏡１０がケース部材４０から取り出されることにより、自動的に電源が投入されるので、カプセル内視鏡１０を分解したり、特別な装置を用いたりすることなく、容易かつ確実に電源を投入することができる。また、電源１５は、初期状態においては、回路ユニット１４から電気的に分離されているので、初期状態における電源１５の電力消費を抑えることができる。また、電源投入後、穴２１のシール性は、密着部２３Ｂ及びパッキン２２から形成されるシール構造により確保されるので、カプセル内視鏡１０の内部への水等の浸入が防止され、カプセル外殻１１内部の気密性が確保される。
【００３３】
さらに、本実施形態では、ケース部材４０からカプセル内視鏡１０が取り出され電源が投入された後でも、カプセル内視鏡１１を再度ケース部材４０の内部に格納することにより、回路ユニット１４への電源供給が停止する。したがって、本実施形態では、電源のオンオフを容易に切り替えることができる。
【００３４】
図４は、本発明の第２の実施形態に係るカプセル内視鏡を部分的に示すための断面図である。本実施形態では、密着部２３Ｂが、挿通部２３Ａと別体に設けられている点、及び板ばね２５の内壁１１Ｃへの固定構造を除いて第１の実施形態と同様である。以下、第２の実施形態について、第１の実施形態との相違点を説明する。
【００３５】
本実施形態に係る挿通部２３Ａは、円柱の両端が面取りされた形状を呈し、穴２１及びパッキン２２の内部を挿通し、挿通部２３Ａの左端部がカプセル外殻１１の外部に、右端部がカプセル内視鏡１１の内部に配置される。
【００３６】
挿通部２３Ａと別体に設けられた密着部２３Ｂは、左方向に向けて膨らんだ略半球形に形成される。密着部２３Ｂの右端面２３Ｃは平面状に形成され、第１の実施形態と同様に板ばね２５の第１の本体部２５Ｂの左面に固着されていると共に、密着部２３Ｂの左先端部は密着部２３Ｂの右端部に接触している。
【００３７】
穴２１の右上側の内壁１１Ｃには、内壁１１Ｃから内部に向けて突出する突出壁１１Ｆが設けられ、その突出壁１１Ｆには、内壁１１Ｃに沿うように左下方向に向けて開口するスリット１１Ｇが形成される。板ばね２５の上端部２５Ａは、そのスリット１１Ｇの内部に挿入され、スリット１１Ｇに固定されている。
【００３８】
カプセル内視鏡１０が保持部４１内部に格納された初期状態では、挿通部２３Ａは、ケース部材４０によって右側に押圧されており、板ばね２５も、挿通部２３Ａ及び密着部２３Ｂを介して右方向に押圧された状態にある。したがって、板ばね２５は初期状態において、右側に撓み変形した状態で静止され、折り曲げ先端部２５Ｅは第１の接点部２４から離間している。
【００３９】
一方、カプセル内視鏡１０がケース部材４０から取り出されると、板ばね２５の復元力により、折り曲げ先端部２５Ｅが左方向に変位し、折り曲げ先端部２５Ｅが第１の接点部２４に接触する。また、密着部２３Ｂも左方向に変位し、パッキン２２に密着する。さらには、挿通部２３Ａも左方向に押圧されて変位し、穴２１から抜き去られる。
【００４０】
したがって、本実施形態でも、カプセル内視鏡１０をケース部材４０から取り出し、かつ挿通部２３Ａが抜き去られることにより、回路ユニット１４（図１参照）の駆動が開始されるので、簡単な操作で電源を投入することができる。また、穴２１のシール性も、パッキン２２と密着部２３Ｂによって確保することができる。さらには、板ばね２５は、スリット１１Ｇの内部に挿入されることによりカプセル内視鏡の内壁１１Ｃに固定されるので、板ばね２５を安定的にカプセル内視鏡１０に取り付けることができる。また、挿通部２３Ａは、穴２１から抜き去られるので、カプセル内視鏡が嚥下されるとき、外壁１１Ｄから突出する部分がなくなり、嚥下等を円滑に行いやすくなる。
【００４１】
なお、本実施形態では、挿通部２３Ａがケース部材４０に固定されることにより、ケース部材４０と挿通部２３Ａが一体に形成されていても良い。このような構成によれば、板ばね２５の復元力によらずに、カプセル内視鏡１０をケース部材４０から取り出すことによって自動的に挿通部２３Ａを穴２１から抜き去ることができる。なお、挿通部２３Ａは、ケース部材４０と一体に形成されていない場合でも、板ばね２５の復元力によらず、穴２１から引っ張られて抜き取られても良い。
【００４２】
なお、挿通部２３Ａを抜き去るために、図５に示すように、挿通部２３Ａには、抜き去るのを介助するための挿通部２３Ａと一体に形成されたハンドル部７１があってもよい。また、図６のように、挿通部２３Ａは、糸７２などでケース部材４０と接続されていても良い。これにより、抜き忘れを防止できる。
【００４３】
図７、８は、本発明の第３の実施形態に係るカプセル内視鏡を示す。第１の実施形態においては、密着部２３Ｂがカプセル外殻１１の内部に配置されているが、本実施形態では、密着部２３Ｂがカプセル外殻１１の外部に配置されている。また、密着部に密着されるパッキンが設けられず、密着部に密着される被密着部はカプセル外殻１１の外壁１１Ｄそのもので構成される。以下、第３の実施形態について、第１の実施形態との相違点を中心に説明する。
【００４４】
本実施形態において、先端部Ｙの穴２１は、カプセル外殻１１の内部に連通する略円柱形の第１の穴部２１Ａと、第１の穴部２１Ａの左側に連通し、かつカプセル外殻１１の外部に連通する第２の穴部２１Ｃで構成される。第２の穴部２１Ｃは、その径が第１の穴部２１Ａの径よりも大きくかつ左側（すなわち、外殻１１の外部側）に向かうにつれて徐々に大きくされた略半球形に形成される。
【００４５】
穴２１には、第１の実施形態と同様に、軸が穴２１の軸に一致する防水部材２３が挿通されている。防水部材２３は、略円筒状に形成される挿通部２３Ａと、挿通部２３Ａの左端部に一体に形成される密着部２３Ｂとを備える。挿通部２３Ａの右端部はカプセル外殻１１の内部側に配置されると共に、密着部２３Ｂはカプセル外殻１１の外部側に配置される。
【００４６】
挿通部２３Ａは、その径が第１の穴部２１Ａの径よりも小さく、第１の穴部２１Ａの内周に密着しないように、第１の穴部２１Ａの内部に挿通されている。また、密着部２３Ｂは、挿通部２３Ｂより径が大きく、左側に向かうに従ってその径が徐々に大きくなる形状を呈し、その外周面２３Ｅが第２の穴部２１Ｃの内周に略一致した形状を呈する。また、密着部２３Ｂの左端面２３Ｄは、左端部１１Ｂの外壁１１Ｄの曲率に略一致するように中央部が僅かに膨らんだ形状を呈する。
【００４７】
カプセル外殻１１の内部には、左端面１１Ｂの内壁１１Ｃの上方側に接続され、かつ上下方向に平行な第１の壁面１１Ｈと、第１の壁面１１Ｈよりも右側において左端面１１Ｂの内壁１１Ｃの下方側に接続され、かつ上下方向に平行な第２の壁面１１Ｉとが設けられる。第１及び第２の壁面１１Ｈ、１１Ｉそれぞれには、板ばね２５及び第１の接点部２４が設けられる。
【００４８】
第１の接点部２４は、金属板等の導電体で形成され、一部が第２の壁面１１Ｉに固着されると共に、一部が第２の壁面１１Ｉから上方に突出するように設けられている。板ばね２５は、略同一幅を有する第１及び第２の本体部２５Ｂ、２５Ｃと、これら第１及び第２の本体部２５Ｂ、２５Ｃを接続し、第１及び第２の本体部２５Ｂ、２５Ｃより細幅の接続部２５Ｄによって一体に形成される。第１の本体部２５Ｂは、第１の壁面１１Ｈに固着される板ばねの基端部を構成する。第２の本体部２５Ｃは接続部２５Ｄを介して第１の本体部２５Ｂから下方に向けて延出する。第２の本体部２５Ｃは、その下端部が第１の接点部２４に近づくように右側に折り曲げられ、折り曲げ先端部２５Ｅに形成される。
【００４９】
板ばね２５は、外力が作用されていないとき、図８に示すように、折り曲げ先端部２５Ｅを除いて上下方向に直線的に延在すると共に、折り曲げ先端部２５Ｅの先端部が、第１の接点部２４の第２の壁面１１Ｉから突出した部分に接触している。また、板ばね２５の第２の本体部２５Ｃの左面には、挿通部２３Ａの右端部が固着され、板ばね２５と防水部材２３は一体的に形成される。したがって、防水部材２３が左方向に引っ張られて変位すると、その変位に合わせて板ばね２５は左方向に撓められる。
【００５０】
初期状態において、密着部２３Ｂは、カプセル外殻１１の外壁１１Ｄから突出した位置に配置されており、第２の穴部２１Ｃの内周面と、密着部２３Ｂの外周面２３Ｅとの間には隙間Ｓが形成される。そして、その隙間Ｓには、シート状の差込部材３０が差し込まれ、密着部２３Ｂは第２の穴部２１Ｃから離間した位置に配置されて保持される。このような状態において、板ばね２５は防水部材２３によって、左方向に引っ張られて撓め変形させられており、折り曲げ先端部２５Ｅの先端部は第１の接点部２４から離間する。なお、板ばね２５は、撓められるとき、接続部２５Ｄを起点に第２の本体部２５Ｃが折り曲げられて撓められる。
【００５１】
本実施形態では、差込部材３０が引き抜かれることにより電源が投入される。すなわち、差込部材３０が引き抜かれると、防水部材２３による引張力が解放されることにより、板ばね２５が復元し、折り曲げ先端部２５Ｅが右方向に変位し第１の接点部２４に接触する。また、板ばね２５の復元力により、防水部材２３が右方向に引っ張られて変位するので、密着部２３Ｂも合わせて右方向に変位し、密着部２３Ｂの外周面２３Ｅが第２の穴部２１Ｃの内周面に密着される。ここで、密着部２３Ｂの外周面２３Ｅと第２の穴部２１Ｃの内周面は一致する形状を呈するため、密着部２３Ｂと第２の穴部２１Ｃとの間には隙間が生じない。
【００５２】
以上のように、本実施形態においては、第１の実施形態と同様に簡単な構成で電源を投入することができ、また電源投入後においては、穴２１が密着部２３Ｂによってシールされるので、カプセル外殻１１内部の気密性が確保される。
【００５３】
なお、本実施形態においても、密着部２３Ｂが密着される被密着部は、第２の穴部２１Ｃの内周面、すなわち、カプセル外殻１１の外壁１１Ｄそのものであったが、第２の穴部２１Ｃの内周面にはパッキンが設けられていても良い。パッキンは、例えば、第１の穴部２１Ａを取り囲むように円環状に形成される。
【００５４】
図９は本発明の第４の実施形態に係るカプセル内視鏡の断面図である。本実施形態では、ばね部材として板ばねの代わりにコイルばねが設けられた実施形態である。以下、本実施形態について、第１の実施形態との相違点を中心に説明する。
【００５５】
本実施形態では、左端面１１Ｂが上下方向に平行な平面に形成されると共に、その左端面１１Ｂの中央部に穴２１が設けられる。左端面１１Ｂの内壁１１Ｃには、第１の実施形態と同様のパッキン２２が取り付けられ、穴２１、パッキン２２には、第１の実施形態と同様に防水部材２３が挿通される。すなわち、防水部材２３は、挿通部２３Ａ及び密着部２３Ｂで構成され、挿通部２３Ａの左端部はカプセル外殻１１の外壁１１Ｄから外部に向けて突出すると共に、密着部２３Ｂはカプセル外殻１１の内部に配置される。
【００５６】
左端面１１Ｂの内壁１１Ｃにおいて、穴２１の下側には第１の端子部２４が設けられる。第１の端子部２４は、左端面１１Ｂの内壁１１Ｃに固定される基端部２４Ａと、その基端部２４Ａから右上に向けて延出する延出部２４Ｂと、延出部２４Ｂの上端が左上に折り曲げられて形成された折り曲げ部２４Ｃとから成る。第１の端子部２４は、金属等の導電体であって、板ばねで構成され、折り曲げ部２４Ｃと延出部２４Ｂとの接続部２４Ｅが、最も右側に位置し、接続部２４Ｅが後述する電池３１の左端面３１Ｌに接触する。
【００５７】
カプセル外殻１１の本体部１１Ｊの内壁１１Ｃには、左右方向における同一の位置に、第１及び第２の突起（支持部材）３３Ａ、３３Ｂが連設される。第１及び第２の突起３３Ａ，３３Ｂは、内壁１１Ｃから上下方向に平行に内側に向けて突出する第１の突出部３４と、第１の突出部３４の先端部から左方向に向けて突出する第２の突出部３５によって鉤状に形成される。
【００５８】
カプセル外殻１１の内部には、電池（第２の回路）３１と、コイルばね３２とがカプセル外殻１１に同心的に配置される。電池３１はボタン電池であって、その外径がカプセル外殻１１の本体部１１Ｊの内径に略等しい。コイルばね３２は、その内周面側に第１及び第２の突起３３Ａ、３３Ｂそれぞれの第２の突出部３５が挿入され、コイルばね３２の軸が左右方向に対して傾くのが防止される。コイルばね３２の一端部３２Ａは、第１の突起３３Ａの第１の突出部３４に当接して支持される。
【００５９】
電池３１は、その右端面３１Ｒ及び左端面３１Ｌそれぞれがマイナス電極、プラス電極となり、電池３１の左端面３１Ｌが密着部２３Ｂの右端面２３Ｃに当接されると共に、右端面３１Ｒはコイルばね３２の他端部３２Ｂに当接して支持されている。
【００６０】
カプセル外殻１１の内部には、さらに、第１の実施形態と同様に、回路ユニット１４、撮像素子１２、光源装置１６、レンズ１３が設けられている。回路ユニット１４は、コイルばね３２に例えば導線によって接続されて導通しており、これにより回路ユニット１４はコイルばね３２を介して、電池３１のマイナス電極に導通している。一方、回路ユニット１４は、例えば、不図示の導線を介して、第１の端子部２４に導通している。したがって、電池３１の左端面３１Ｌ（プラス電極）が第１の端子部２４に接触すると、電池３１から回路ユニット１４へ電力が供給される。また、第１の端子部２４が第１の接点部２４から離間し、これらが電気的に切断されると、回路ユニット１４には電池３１から電力が供給されない。
【００６１】
本実施形態の初期状態においては、防水部材２３は、ケース部材４０によって押圧されることにより、電池３１を押圧する位置に保持させられている。すなわち、電池３１の左端面３１Ｌは、防水部材２３に押圧された状態で保持され、第１の端子部２４から離間させられる。したがって、電池３１から回路ユニット１４には、電力が供給されていない。また、コイルばね３２は、電池３１を介して防水部材２３に押圧された状態で保持され、圧縮変形した状態で保持されている。
【００６２】
一方、カプセル内視鏡１０がケース部材４０から取り出されると、防水部材２３からの外力が解放されてコイルばね３２が復元する。その復元力により、電池３１及び防水部材２３は左方向に変位し、電池３１の左端面３１Ｌが第１の端子部２４を押圧して接触することとなる。したがって、電池３１から回路ユニット１４に、電力が供給される。なお、このとき、第１の端子部２４は、板ばねで構成されるため、左方向に撓め変形させられる。また、防水部材２３の変位により、防水部材２３の密着部２３Ｂがパッキン２２に密着し、穴２１がシールされる。
【００６３】
以上のように、本実施形態でも、カプセル内視鏡１０をケース部材４０から取り出すことによって、回路ユニット１４の駆動が開始される。また、回路ユニット１４の駆動が開始されると、密着部２３Ｂとパッキン２１によって穴２１がシールされ、カプセル外殻１１の内部の気密性が確保される。また本実施形態では、コイルばね３２の内部に設けられた空間には、回路基板等配置することが可能であり、スペースの有効活用が可能となる。
【００６４】
なお、第１の端子部２４は撓み変形させられるため、その復元力によって電池を押圧することになるが、第１の端子部２４の復元力は、コイルばね３２の復元力に比べて小さいので、密着部２３Ｂがパッキン２２に密着することを妨げることはない。また、初期状態において第１の端子部２４の接続部２４Ｅは、パッキン２２より右側に配置されるので、第１の接点部２４と電池３１の左端面３１Ｌとの接触は確実に確保される。なお、接続部２４Ｅは、カプセル内視鏡１０がケース部材４０から取り出された状態では電池３１によって押圧され、左右方向においてパッキン２２と同一位置に配置される。
【００６５】
なお、本実施形態では、コイルばね３２の一端部３２Ａは、回路ユニット１４が装着される回路基板（不図示）のグランドパターンに当接させられることで、回路基板によって支持されていても良い。この場合、コイルばね３２と回路ユニット１４とを接続するための配線は不要になる。また、本実施形態の場合、コイルばね３２を用いているため、電池３１に加わる弾性が電池３１の底面周囲に均一に加わるので、電池３１が円滑に移動できると共に、電池３１の移動量を比較的大きく確保できる。
【００６６】
また、ばね部材の復元力によって電池３１が変位する本実施形態においても、図１０の変形例のように、コイルばね３２の代わりに、板ばね２５が用いられても良い。本変形例では、内壁１１Ｃから上下方向に平行に突出する突起（支持部）１３３Ａ、１３３Ｂに回路基板７３が設けられると共に、その回路基板７３の左面にグランドパターン７４が設けられる。そして、そのグランドパターン７４に半田付けされた板ばね１２５によって、電池３１及び防水部材２３が左方向に押圧付勢されている。このような構成によれば、本体部１１Ｊの内容積を小さくできる。
【００６７】
図１１は本発明の第５の実施形態に係るカプセル内視鏡の断面図である。第４の実施形態では、挿通部２３Ａと一体に形成された密着部２３Ｂが設けられるが、本実施形態では、電池３１の左端面がパッキン２２（被密着部）に密着する密着部となる。以下、本実施形態について、第４の実施形態との相違点について説明する。
【００６８】
第５の実施形態においては、左端面１１Ｂの内壁１１Ｃの中央部には、内壁１１Ｃから右方向に立ち上げられるボス部３６が設けられ、穴２１はそのボス部３６を左右方向に貫通する。ボス部３６の立ち上がり端面３６Ａには、第４の実施形態と同様に、穴２１を取り囲むように円環状に形成されたパッキン２２が取り付けられる。ボス部３６の下側における、左端面１１Ｂの内壁１１Ｃには、第４の実施形態と同様に、第１の端子部２４が設けられる。
【００６９】
本実施形態に係る挿通部２３Ａは、円柱が面取りされた形状を呈し、穴２１及びパッキン２２の内部を挿通して配置される。挿通部２３Ａの左端部はカプセル外殻１１の外部に配置される。また挿通部２３Ａの右端部は、カプセル外殻１１の内部に配置され、電池３１の左端面３１Ｌに当接している。なお、本実施形態において、電池３１は、左右方向に直列接続されて並べられた２つのボタン電池３１Ｄで構成される。なお本実施形態において、電池３１の左端面３１Ｌは、第１の端子部２４に接触する部分以外は、絶縁膜で被膜されている。このような構成により、電池３１の端面の金属部分が外部に露出することが防止される。勿論、使用態様によっては絶縁膜が省略されても良い。
【００７０】
初期状態において、挿通部２３Ａは、ケース部材４０によって電池３１を押圧する位置に保持される。すなわち、電池３１及びコイルばね３２は挿通部２３Ａによって右方向に押圧され、コイルばね３２は圧縮変形させられている。また、電池３１の左端面３１Ｌは第１の端子部２４から離間して配置される。
【００７１】
一方、カプセル内視鏡１０がケース部材４０から取り出されると、コイルばね３２の復元力により、電池３１及び挿通部２３Ａが左方向に変位する。左方向に変位した電池３１の左端面３１Ｌは、第１の端子部２４の接続部２４Ｅに接触して押圧し、第１の端子部２４を左方向に撓めさせると共に、パッキン２２にも密着する。挿通部２３Ａは、コイルばね３２の復元力により、又は外部から引っ張られることによって穴２１から抜き去られる。なお、本実施形態でも、挿通部２３Ａには、抜き去るのを介助するためのハンドル部があってもよいし、糸などでケース部材４０と接続されていてもよい。
【００７２】
本実施形態でも、第１〜第４の実施形態と同様に、ケース部材４０からカプセル内視鏡１０を取り出すことによって、又はカプセル内視鏡１０を取り出すと共に挿通部２３Ａを引っ張られることによって電源が投入される。電源投入後、電池３１は、コイルばね３２の復元力により左方向に押圧させられた状態でパッキン３１に密着するので、穴２１は電池３１の左端面とパッキン２２によって確実にシールされ、カプセル外殻内部の気密性が確保される。
【００７３】
図１２は、本発明の第６の実施形態に係るカプセル内視鏡の断面図である。第５の実施形態では、電池の左端面３１Ｌが密着部として直接パッキンに密着して、穴２１がシールされたが、本実施形態では、電池３１の左端面に電池３１とは別体のシート状密着部３８が貼付されている。また、本実施形態では、左端面１１Ｂの内壁１１Ｃには、パッキン２２を取り囲むように円環状のサブパッキン３７がパッキン２２に同心的に設けられる。パッキン２２及びサブパッキン３７は、本実施形態では、断面円形に形成されるが、第１の実施形態と同様に断面四角形に形成されても良い。なお、シート状密着部３８は、例えば、ゴム、樹脂等の絶縁体で形成され、パッキン２２、３７に密着しやすいように弾性を有し、好ましくはパッキン２２、３７と同一の材料で形成される。
【００７４】
本実施形態では、穴２１に連通せず、円環状に形成された断面半円の溝部２１Ｄがボス部３６の立ち上がり端面３６Ａに設けられ、溝部２１Ｄにパッキン２２が嵌合される。また、ボス部３６を取り囲むように、円環状の突起４７も設けられ、その突起４７の先端面にサブパッキン３７を嵌合するための、円環状で断面半円のサブ溝４７Ｂが設けられる。
【００７５】
カプセル内視鏡１０がケース部材４０から取り出されると、コイルばねの復元力により、シート状密着部３８及び電池３１が左方向に変位させられる。そして、シート状密着部３８がパッキン２２及びサブパッキン３７に密着し、これにより穴２１がシールされる。なお、本実施形態では、電池３１とは別体のシート状密着部３８と、サブパッキン３７が設けられたことにより、カプセル外殻１１の内部の気密性がより確実に確保される。
【００７６】
図１３、１４は、第７の実施形態に係るカプセル内視鏡を示すための断面図である。第７の実施形態におけるカプセル内視鏡１０の内部には、回路として、回路ユニット１４に加えて副回路ユニット１９が設けられ、さらに第３の接点部２９が設けられている点が第１の実施形態と相違する。以下、第１の実施形態との相違点を中心に説明する。
【００７７】
本実施形態における副回路ユニット１９は、例えば、電力が供給されることにより、時間を計時するタイマーである。回路ユニット１４及び副回路ユニット１９それぞれは、第１の接点部２４、第３の接点部２９に導通していると共に、電源１５は板ばね２５に導通している。
【００７８】
第３の接点部２９は、金属等の導電体から成る板ばねで構成される。第３の接点部２９は、略同一幅を有する第１及び第２の本体部２９Ｂ、２９Ｃと、これら第１及び第２の本体部２９Ｂ、２９Ｃを接続し、第１及び第２の本体部２９Ｂ、２９Ｃより細幅の接続部２９Ｄによって一体に形成される。したがって、図１４に示すように、第２の本体部２９Ｃは接続部２９Ｃを起点に左方向に容易に折り曲げ可能である。
【００７９】
第１の本体部２９Ｂは、板ばねの基端部を構成し、穴２１の右下側において内壁１１Ｃに固定される。第２の本体部２９Ｃは、接続部２９Ｄを介して第１の本体部２９Ａから上方向に延出する。また、第２の本体部２９Ｃは、その上端部が右方向に突出して突出部２９Ｅに形成される。第３の本体部２９Ｃの右面側には、さらに第１の接点部２４が固着されている。第１の接点部２４と第３の接点部２９との間は、絶縁膜が被膜されており、これにより、第１の接点部２４と第３の接点部２９との間は絶縁される。なお、突出部２９Ｅの突出高さは、第１の接点部２４の高さより高く、突出部２９Ｅの先端部は、第１の接点部２４の右面よりも右側に配置される。
【００８０】
板ばね２５は、本実施形態では、穴２１の左上方において、内壁１１Ｃに固定される上端部２５Ｘと、左方向に僅かに湾曲しつつ上端部２５Ｘから下方に向けて延出する延出部２５Ｙと、延出部２５Ｙの下端部に連設される先端部２５Ｚから成る。先端部２５Ｚは、第１及び第３の接点部２４、２９に接触するための第２の接点部となる。
【００８１】
板ばね２５は、初期状態において、防水部材２３によって押圧され、右方向に撓み変形させられた状態にある。その撓められた状態で、板ばね２５の先端部２５Ｚは、第３の接点部２９の突出部２９Ｅに接触していると共に、その先端部２５Ｚの下側部分が第１の接点部２４の右面を覆うように配置される。したがって、初期状態において、副回路ユニット１９は、電源１５に電気的に接続され、電源１５から電力が供給されている。一方、回路ユニット１４には、電源１５に電気的に接続されず、電源１５から電力が供給されない。
【００８２】
カプセル内視鏡１０がケース部材４０から取り出されると、挿通部２３Ａによる外力が解放されることにより、板ばね２５が復元する。板ばね２５の復元により、板ばね２５の先端部２５Ｚは左方向に変位し、第３の接点部２９は突出部２９Ｅを介して左方向に押圧される。この押圧により、第３の接点部２９は、接続部２９Ｄを起点に左方向に折り曲げられて撓み変形し、第２の接点部２４の右面を左方向に傾けさせ、第２の接点部２４の右面を先端部２５Ｚの第２の接点部２４を覆う部分に接触させる。これらの接触後は、板ばね２５によって、第１の接点部２４を介して、第３の接点部２９が押圧されて撓み変形させられ、突出部２９が板ばね２５の先端部２５Ｚから離間させられる。これにより、回路ユニット１４は、電源１５に電気的に接続され、電源１５から電力が供給されると共に、電源１５から副回路ユニット１９への電力供給は停止される。
【００８３】
以上のように、本実施形態では、カプセル内視鏡１０がケース部材から取り出されることにより、電力が供給される回路ユニットが、副回路ユニット１９から回路ユニット１４に変化させることができる。
【００８４】
図１５は、第８の実施形態に係るカプセル内視鏡を示すための図である。本実施形態は、第５の実施形態において、回路ユニットとして、回路ユニット１４に加えて副回路ユニット１９が設けられ、さらには第３の接点部２９が設けられた場合の実施形態である。なお、図１５においては、撮像素子１２、レンズ１３、及び光源装置１６は省略される。
【００８５】
本実施形態では、カプセル外殻１１の左端面１１Ｂの内壁１１Ｃに、第７の実施形態と同様の構成を有する第１及び第３の接点部２４、２９が設けられ、初期状態において、電池３１の左端面３１Ｌが第３の接点部２９に接触されている。そして、ケース部材４０からカプセル内視鏡１０が取り出されると、コイルばね３２が復元し、これにより、電池３１が第３の接点部２９を押圧し、第７の実施形態と同様に、電池３１の左端面３１Ｌが第１の接点部２４に接触することとなる。
【００８６】
以上のように、本実施形態でも、カプセル内視鏡１０がケース部材から取り出されることにより、電力が供給される回路ユニットが、副回路ユニット１９から主回路ユニット１４に切り替えることができる。また、折り曲げ先端部２５Ｅ、第３の接点部２９の間の接続は切断されるので、電源１５から副回路ユニット１９への電力供給は停止される。
【００８７】
なお、上記各実施形態において、挿通部２３Ａ及び密着部２３Ｂは、穴２１の軸を中心に回転してできる回転体であれば、それぞれ略円柱形及び略半球形に形成されていなくても良い。また、上記各実施形態において、パッキンは適宜省略されても良い。また、各パッキン及びサブパッキンは周状に形成されていれば、円環状でなくても良く、例えば四角形の周状、楕円環状等に形成されていても良い。
【００８８】
また、上記各実施形態の初期状態では、カプセル内視鏡１０がケース部材４０の内部に格納されることによって、挿通部２３Ａがカプセル外殻１１に対して一定位置に保持される。しかし、その他の部材によって挿通部２３Ａが一定位置に保持され、ばね部材（板ばね２５又はコイルばね３２）が押圧された状態が保持されていても良い。例えば、カプセル外殻１１の外壁１１Ｄと、挿通部（又は密着部）の左端部の両方に貼り付けられるシール部材によって、挿通部が一定位置に保持されても良い。
【００８９】
本発明における動作切替機構は、飲み込み型医療機器であれば、カプセル内視鏡以外にも適用可能である。また、電源の投入に限らず、複数の回路基板同士の接続を切り替えて、機能選択をおこなうような場合にも適用できる。
【図面の簡単な説明】
【００９０】
【図１】初期状態における第１の実施形態に係るカプセル内視鏡の一部を模式的に示し、一部を断面的に示した図である。
【図２】電源投入後の第１の実施形態に係るカプセル内視鏡の一部を模式的に示し、一部を断面的に示した図である。
【図３】板ばねを右側から見た平面図である。
【図４】初期状態における第２の実施形態に係るカプセル内視鏡の一部を示した断面図である。
【図５】第２の実施形態の変形例に係るカプセル内視鏡の一部を示した断面図である。
【図６】第２の実施形態の別の変形例に係るカプセル内視鏡を示した模式的な断面図である。
【図７】初期状態における第３の実施形態に係るカプセル内視鏡の一部を模式的に示し、一部を断面的に示した図である。
【図８】電源投入後の第３の実施形態に係るカプセル内視鏡の一部を模式的に示し、一部を断面的に示した図である。
【図９】初期状態における第４の実施形態に係るカプセル内視鏡の一部を模式的に示し、一部を断面的に示した図である。
【図１０】第４の実施形態の変形例に係るカプセル内視鏡の一部を模式的に示し、一部を断面的に示した図である。
【図１１】初期状態における第５の実施形態に係るカプセル内視鏡の一部を模式的に示し、一部を断面的に示した図である。
【図１２】初期状態における第６の実施形態に係るカプセル内視鏡の一部を示した断面図である。
【図１３】初期状態における第７の実施形態に係るカプセル内視鏡の一部を模式的に示し、一部を断面的に示した図である。
【図１４】ケース部材から取り出したときの第７の実施形態に係るカプセル内視鏡の一部を模式的に示し、一部を断面的に示した図である。
【図１５】初期状態における第８の実施形態に係るカプセル内視鏡の一部を模式的に示し、一部を断面的に示した図である。
【符号の説明】
【００９１】
１０  カプセル内視鏡
１１  カプセル外殻
１１Ｂ  左端面（他端面）
１４  回路ユニット（第１の回路）
１５  電源（第２の回路）
２１  穴
２３  防水部材
２３Ａ  挿通部
２３Ｂ  密着部
２４  第１の接点部
２５  板ばね
２５Ｅ  折り曲げ先端部（第２の接点部）
２９  第３の接点部
４０  ケース部材（保持部）
【図１】
2008259767.tif 000003
【図２】
2008259767.tif 000004
【図３】
2008259767.tif 000005
【図４】
2008259767.tif 000006
【図５】
2008259767.tif 000007
【図６】
2008259767.tif 000008
【図７】
2008259767.tif 000009
【図８】
2008259767.tif 000010
【図９】
2008259767.tif 000011
【図１０】
2008259767.tif 000012
【図１１】
2008259767.tif 000013
【図１２】
2008259767.tif 000014
【図１３】
2008259767.tif 000015
【図１４】
2008259767.tif 000016
【図１５】
2008259767.tif 000017